(57)【要約】 【課題】歯周病予防に効果的な歯肉の血行を良くするため、手を細かく動かすことなく歯肉のマッサージをする専用のもで、歯肉をマッサージする機会を増やすことが出来る、安価で従来のものより衛生面を高めた歯肉マッサージャーを提供する。【解決手段】本発明にかかる歯肉マッサージャー１は、振動用の電動歯ブラシ本体２の本体結合凸部４に合う歯肉マッサージャー１の結合凹部８を有し、電動歯ブラシ本体２の歯ブラシを振動させる機能を使い、結合凹部８から振動部７を通してマッサージ部６を振動させて歯肉をマッサージする。歯肉マッサージャー１は、口内に入れるものであり特に衛生面に配慮しなければならないものであることから植毛をなくし、表面が菌や汚れや水分を含みにくく切れ目やつなぎ目がなく角がない材料や構造などにし、マッサージ部６に歯肉の血行を良くするマグネット９が埋め込むことが出来る。【選択図】図１
2012019973.tif 000002
【特許請求の範囲】
【請求項１】
電動歯ブラシ本体２が発生する振動を、本体結合凸部４から結合凹部８でうけた振動部７に伝え、振動部７にマッサージ部６を有したことを特徴とする歯肉マッサージャー。
【請求項２】
振動部７とマッサージ部６の材質は振動部７のほうがマッサージ部６より硬い材質であり、基本的に振動部７と結合部凹部８は同じ材質であることを特徴とする、請求項１に記載の歯肉マッサージャー。
【請求項３】
前記マッサージ部６は、振動部７を覆うように形成されており、マッサージ部６の先にはマグネット９が埋め込まれ植毛のない請求項１又は、請求項２のいずれかに記載の歯肉マッサージャー。
【発明の詳細な説明】
【技術分野】
【０００１】
本発明は、既存の電動歯ブラシの本体機能である歯ブラシを振動させることを利用することによって、歯周病予防に良い歯肉の血行を良くする歯肉マッサージを手軽な方法で、手軽な金額で、手軽な場所で行える効果的な歯肉マッサージャーに関するものである。    
【背景技術】
【０００２】
通常の電動歯ブラシは、基本的に歯を磨くことが第一義的に作られており、マッサージ効果もあることで開発されたもの（特開２００５−１９９０３５号、特開２０００−２３７４７号、特開２０００−１１９号）であり、他も含め全て植毛されているもので、歯肉のマッサージ専用に使うにはマッサージ効果が薄いばかりか問題も多く使用しづらい部分がある。また歯茎マッサージャーとして発明されたもの（特開平７−９６０１８号、特開２０００−２４０６４号）があるが、電動によりマッサージが出来るものではなく、手軽なマッサージとしては問題な部分がある。
【０００３】
手軽な電動歯肉マッサージ専用の機器がない。
【先行技術文献】
【特許文献】
【０００４】
【特許文献１】特開２００５−１９９０３５号
【特許文献２】特開２０００−２３７４７号
【特許文献３】特開２０００−１１９号
【特許文献４】特開平７−９６０１８号
【特許文献５】特開２０００−２４０６４号
【発明の概要】
【発明が解決しようとする課題】
【０００５】
現在、歯肉専用の電動マッサージ器がなく、従来の電動歯ブラシでも、基本的に歯の汚れを落とすことが一義的であるため歯肉マッサージ専用に使うには、マッサージ効果、使用する場所、衛生面などいくつかの問題がある。
【０００６】
本発明は、上記のような問題を解決するためになされたもので、手軽な値段で手軽な場所で手軽な方法で歯肉マッサージを提供し、歯周病予防のため歯肉の血行を良くすることを目的とする。
【課題を解決するための手段】
【０００７】
本発明は上記目的を達成するため歯肉のマッサージ専用に発明されたものであるが、既存の電動歯ブラシの換え部品として電動歯ブラシ本体の持つ機能である歯ブラシを振動させる機能を利用することにより、手を細かく動かすこともなく歯肉をマッサージすることが出来、歯周病予防のため歯肉の血行を良くする歯肉専用のマッサージを行う歯肉マッサージャーである。
【０００８】
本発明の歯肉専用の歯肉マッサージャーは、口内に入る部分を汚れや水分を含まないようにするため、植毛がなく、表面に、つなぎ目や切れ目など汚れや水分が残りやすい角面をなくす構造で、水分を含まない材質を使用することにより、菌の繁殖を防ぎ、使用後にウェトティシュで拭くだけで汚れが取れるマグネットを埋め込むことが出来るマッサージ部で、口内に入る部分を被せる事が出来るキャップがある。
【発明の効果】
【０００９】
本発明は、請求項１により既存の電動歯ブラシの本体機能である歯を磨くための歯ブラシが振動する機能を利用した歯肉専用のマッサージャーで安価に歯肉をマッサージすると共に、植毛がないため衛生的にも優れた歯肉マッサージャーである。
【００１０】
かかる構成により、手を細かく動かすことなく、歯肉をマッサージすることにより歯周病予防のため歯肉の血行を良くする歯肉専用のマッサージを安価に提供でき、歯肉マッサージ専用に使うには不向きな部分でもある植毛をなくすことにより、汚れや水分が含まなくなり衛生的にも良い。
【００１１】
請求項２の発明により、歯肉マッサージャーの振動部はマッサージ部より硬い材質で出来ており、歯肉マッサージャーの結合部は基本的に振動部と同じ材質である。
【００１２】
かかる構成により、歯肉マッサージャーの結合部が硬い材質で出来ているため、やわらかめな材質とは違い電動はブラシ本体の結合部としっかりと嵌合することとなり、電動歯ブラシ本体の振動を無駄なく伝えると共に、簡単には外れることがない。
【００１３】
請求項３の発明により、歯肉マッサージャーの口内に入る部分は、マッサージ部を含めて振動部を覆うように歯肉にあった硬さのマッサージ部の材質で出来ている。またマッサージ部の先のほうにマグネットを埋め込んだものもある。
【００１４】
かかる構成により、口内に入る振動部やマッサージ部の表面は、植毛がないだけではなく、つなぎ目や切れ目がまったくなく角のない汚れや水分を内包しない構造および材質でできており、歯を磨くことを第一義的に作られた歯ブラシとは違い、歯肉だけのことを考えたマッサージ部の硬さと形状を色々そろえたものが出来、歯ブラシでは形状的に届きにくいところでもマッサージをすることが出来る。マグネットが埋め込まれたものは、マグネットの磁力が振動することも含めて歯肉の血行を良くすることにより歯周病予防になる、また口内を被せるキャップがあることにより衛生的に携帯することが出来る。
【図面の簡単な説明】
【００１５】
【図１】電動歯ブラシ本体と本発明の歯肉マッサージャーが嵌合したものにキャップを被せた外観図ａと、電動歯ブラシ本体の外観図ｂと、歯肉マッサージャーの外観図ｃである。
【図２】本発明の歯肉マッサージャーの先の形状的違いの数例として口内に入れるマッサージ部を示した、マッサージ部の先が細い外観図ａと、マッサージ部の先が曲がっている外観図ｂと、マッサージ部の先が丸くなっている外観図ｃと、マッサージ部の先にマグネットが埋め込まれている断面図ｄである。
【発明を実施するための形態】
【００１６】
以下、図面を参照して本発明の実施の形態について説明するが、同一構成部分には同一符号を付して重複する説明を省略する。
【００１７】
図１(a)は、本発明の実施形態にかかる歯肉マッサージャー１と電動歯ブラシ本体２とが嵌合され、歯肉マッサージャー１の口内に入る部分を覆うためのキャップ３がかぶされた外観図である。
【００１８】
歯肉マッサージャー１は、既存の電動歯ブラシの換え部品として使用することが出来るため、振動用電動歯ブラシを持っている人は換えの歯肉マッサージャー１を買い、新たに買う人でも、既存の大量生産されている振動用電動歯ブラシを購入することで歯肉専用の歯肉をマッサージする機器を安価に手に入れることが出来る。また口内に入る部分をキャップ３で被せることが出来るため携帯時にも清潔を保つことが出来る。
【００１９】
図１(b)は、既存の電動歯ブラシ本体２の外観図で電動歯ブラシ本体２にはスイッチ５と本体結合凸部４がある。
【００２０】
電動歯ブラシ本体２は既存のものでいくつかのメーカーから歯ブラシを振動させる電動歯ブラシ本体２が出ており、その電動歯ブラシ本体２には全てスイッチ５と痛んだ歯ブラシを交換するための本体結合凸部４がある。その既存の電動歯ブラシ本体２を使うことにより、手を細かく動かすこともなく歯肉をマッサージするためには必要な、一番金額の高い駆動部分を大量生産されている既存の電動歯ブラシ本体２を使うことが出来、安価に歯周病予防の歯肉の血行を良くする歯肉専用のマッサージャーを提供することができる。
【００２１】
図1(ｃ）は、歯肉マッサージャー１の外観図で、歯肉マッサージャー１はマッサージ部６と振動部７と本体結合凸部４と嵌合する結合凹部８とで構成されている。
【００２２】
マッサージ部６は、直接歯肉に接触する部分であるため、電動歯ブラシ本体２の振動が歯肉に与える影響を歯肉の状況に合わせて対応するため、マッサージ部６の硬さや形状が異なる最低数種類作成する。また図示されているように、口内に入る表面は振動部７をマッサージ部６の材質で覆われているため汚れや水分を含まず、汚れや水分が拭うだけで取れるように全く植毛がなくつなぎ目や切れ目のない角のない構造及び材質で出来ている。
【００２３】
振動部７は、結合凹部８から受けた電動歯ブラシ本体２が発する振動をマッサージ部６に伝える機能ではあるが、口内に入れる部品でもあり、毒性がなく、腐食しない汚れや水分を内包しない、マッサージ部６より硬い樹脂系や金属系を含めた材質が良く、マッサージ部６の材質との化学性を含めた相性を考慮した材料が良い。
【００２４】
結合凹部８は、基本的に振動部７と同じ硬い材質で、電動歯ブラシ本体２のスイッチ５を入れることによる振動を、本体結合凸部４と嵌合することにより振動部７に伝え、振動部７を通してマッサージ部６が振動することになる。
【００２５】
図２は歯肉マッサージャー１の形的なものを数例示すが、結合凹部８から振動部７の根元までは全部共通のため口内に入るマッサージ部６の数例を示すこととし、（ａ）はマッサージ部６の先が細いもの、（ｂ）はマッサージ部６の先が曲がっているもの、（ｃ）はマッサージ部６の先が丸くなっているもの、（ｄ）はマッサージ部６の先にマグネット９が埋め込まれているものである。
【００２６】
図２の（ａ）のマッサージ部６の先が細いものは、歯と歯の間の歯肉などを含めて細かい部分をマッサージするときに使用するが、マッサージ部６の硬さは数種類そろえる。
【００２７】
図２の（ｂ）のマッサージ部６の先が曲がっているものは、裏側の歯肉を含め、直形では届きにくいところをマッサージするときに使用するが、マッサージ部６の硬さは数種類そろえる。
【００２８】
図２の（ｃ）はマッサージ部６の先が丸くなっているものは、先が球状になっているため、手の角度が変っても同じ歯肉のところに接していれば同じマッサージを得ることが出来るが、マッサージ部６の硬さは数種類そろえる。
【００２９】
図２の（ｄ）のマッサージ部６の先にマグネット９が埋め込まれているものは、マグネット９も振動することにより磁力が振動する、そのことにより歯肉の血行を良くすることが出来るが、マッサージ部６の硬さは数種類そろえる。
【００３０】
以上、図２に示したいくつかの歯肉マッサージャー１を、振動部３を、そのときの使用目的に応じて形状、硬さを選択し、電動歯ブラシ本体２の本体結合凸部４に嵌合する。
【符号の説明】
【００３１】
１    歯肉マッサージャー
２    電動歯ブラシ本体
３    キャップ
４    本体結合凸部
５    スイッチ
６    マッサージ部         
７    振動部
８    結合凹部
９    マグネット
【図１】
2012019973.tif 000003
【図２】
2012019973.tif 000004